(57)【要約】【課題】本発明が解決しようとする課題は、通信異常のある被制御装置を早期に発見することができる制御システムを提供することである。【解決手段】  実施形態の制御システムは、光源１１と、外部と通信可能であり識別情報を送受信する通信部１４とを有する被制御装置１０と、被制御装置１０と通信可能であり識別情報を送受信する通信部２５と、被制御装置１０の設置台数が入力される入力部２６を有する表示部２７と、通信部２５を介して取得した被制御装置１０の識別情報の受信数と入力部２６に入力された設置台数とを比較し、比較結果を表示部２７に表示する制御部２１とを有する制御装置２０とを備える。【選択図】図６
2019179635.tif 000002
【特許請求の範囲】
【請求項１】
光源と、外部と通信可能であり識別情報を送受信する通信部とを有する被制御装置と；
前記被制御装置と通信可能であり前記識別情報を送受信する通信部と、前記被制御装置の設置台数が入力される入力部を有する表示部と、前記通信部を介して取得した前記被制御装置の識別情報の受信数と前記入力部に入力された設置台数とを比較し、比較結果を前記表示部に表示する制御部とを有する制御装置と；
を具備したことを特徴とする制御システム。
【請求項２】
前記制御装置は、前記被制御装置の識別情報を受信すると、前記被制御装置に識別情報を受信したことを示す通信確認信号を送信することを特徴とする請求項１に記載の制御システム。
【請求項３】
前記被制御装置は、自機の識別情報を送信して一定時間までに前記通信確認信号を受信しない場合、自機の前記光源を点灯させることを特徴とする請求項２に記載の制御システム。
【発明の詳細な説明】
【技術分野】
【０００１】
本発明の実施形態は、制御システムに関する。
【背景技術】
【０００２】
たとえば、施設内に複数台設置された照明装置などの被制御装置を制御する制御装置には、無線で制御信号を照明装置へ送信し、照明装置を制御するものがある。制御装置は、照明装置から照明装置に付与された識別番号を受信し、照明装置と通信を確立する初期設定が必要となる。
【０００３】
近年では、照明装置と制御装置との間で照明装置のアドレス情報や点検結果などの照明装置に関する情報を送受信し、受信した照明装置に関する情報を制御装置の表示画面に表示する照明システムがある。
【０００４】
しかしながら、初期設定時に複数台の照明装置と制御装置とが通信した場合、通信が確立した照明装置、通信が未確立の照明装置および障害物による電波障害や破壊による故障などの通信異常により通信が未確立の照明装置を見分けることが難しく改善の余地があった。
【先行技術文献】
【特許文献】
【０００５】
【特許文献１】特開２００７−２１４１４６号公報
【発明の概要】
【発明が解決しようとする課題】
【０００６】
本発明が解決しようとする課題は、通信異常のある被制御装置を早期に発見することができる制御システムを提供することである。
【課題を解決するための手段】
【０００７】
実施形態の制御システムは、光源と、外部と通信可能であり識別情報を送受信する通信部とを有する被制御装置と、被制御装置と通信可能であり識別情報を送受信する通信部と、被制御装置の設置台数が入力される入力部を有する表示部と、通信部を介して取得した被制御装置の識別情報の受信数と入力部に入力された設置台数とを比較し、比較結果を表示部に表示する制御部とを有する制御装置とを備える。
【発明の効果】
【０００８】
本発明によれば、通信異常のある被制御装置を早期に発見することができる。
【図面の簡単な説明】
【０００９】
【図１】実施形態の制御システムの構成を示す図である。
【図２】実施形態の照明装置の斜視図である。
【図３】実施形態の照明装置の構成例を示す図である。
【図４】実施形態の通信端末の構成例を示す図である。
【図５】実施形態の通信端末の表示部の表示例（設置台数入力）を示す図である。
【図６】実施形態の通信端末の表示部の表示例（通信中）を示す図である。
【図７】実施形態の制御システムの初期設定の動作の流れを示すシーケンス図である。
【発明を実施するための形態】
【００１０】
以下、実施形態を図面を参照して説明する。
【００１１】
図１に示すように、制御システム１００は、オフィスや商業施設内の照明空間１の天井面に設置された複数の被制御装置として照明装置１０（１０a〜１０i)と（以降、被制御装置を照明装置と称す）、照明装置１０と通信可能に接続される制御装置として通信端末２０（以降、制御装置を通信端末と称す）とから構成される。通信端末２０は、スマートフォンやタブレット通信端末等の携帯通信端末であり、照明装置１０と無線通信が可能に構成されている。
【００１２】
また、各照明装置１０a〜１０i間、および各照明装置１０a〜１０iと通信端末２０との間の通信方式は、たとえば、ＢＬＥ（Bluetooth（登録商標）Low  Energy）などのメッシュネットワークが可能な無線通信方式である。
【００１３】
たとえば、通信端末２０は、照明装置１０に点検信号を送信し、照明装置１０の点検動作を実行する。
【００１４】
図２ないし図４を併せて参照して示すように照明装置１０は、無線通信を行う通信部１４を有し、通信部１４を介して自機の識別情報を通信端末２０へ送信する。
【００１５】
通信端末２０は、通信部２５を有し照明装置１０から送信された識別情報を受信する。
【００１６】
次に、照明装置１０a〜１０iの構成例を説明する。照明装置１０ａ〜１０iは、同様の構成であるため、照明装置１０として説明する。
【００１７】
図２および図３は、照明装置１０の構成を示している。照明装置１０は、制御部１３、メモリ部１７、通信部１４および光源１１などを備え、これらは照明装置の筐体１６の内部に収納されている。また、筐体１６の背面側には、外部電源（図示しない）と接続される端子台１９が設けられている。照明装置１０は、端子台１９を介して供給された外部電源の電力により駆動する。
【００１８】
図３に示すように、照明装置１０は、制御部１３、メモリ部１７、計時部１５、点検部１８、通信部１４および光源１１などを備える。これらの各部は、データバスを介して互いに接続されている。なお、照明装置１０は、図３に示すような構成の他に必要に応じた構成を具備したり、特定の構成を除外したりしてもよい。
【００１９】
制御部１３は、通信端末２０全体の動作を制御する機能を有する。制御部１３は、内部メモリ又はメモリ部１７に予め記憶したプログラムを実行することにより種々の処理を実現する。制御部１３は、たとえば、プロセッサである。
【００２０】
メモリ部１７（記憶部）は、揮発性メモリおよび不揮発性メモリなどから構成される。たとえば、メモリ部１７は、予め制御用のプログラムおよび制御データなどを格納する。また、メモリ部１７は、制御部１３の処理中のデータなどを一時的に格納する。メモリ部１７は、自機を示す識別情報を格納する。識別情報は、照明装置１０を特定する情報である。たとえば、識別情報は、ＭＡＣアドレスなどの固有アドレスである。メモリ部１７には、製造時において識別情報を格納してもよい。
【００２１】
また、メモリ部１７には照明装置の機種を表す機種番号を格納する。機種番号は照明装置の機種を表す番号であり、たとえば非常灯や誘導灯など各々の機種に共通した番号が付けられる。メモリ部１７には、製造時において機種番号を格納してもよい。
【００２２】
照明装置１０は、識別情報に機種番号を含めて送信することで通信端末２０に自機の機種情報を送信することができる。
【００２３】
また、メモリ部１７は、点検情報を格納する。ここで、点検情報とは点検部１８により点検された蓄電池１２の電圧、電流、温度、放電時間および放電回数などの情報である。
【００２４】
蓄電池１２は、筐体３０の内部に着脱可能な電池であり、ニカド電池、ニッケル水素電池、あるいはリチウムイオン電池などの充電可能な二次電池である。
【００２５】
計時部１５は、時間を計時する機能を有しており、外部電源（図示しない）または蓄電池１２から供給される電力により駆動する。計時部１５は、メモリ部１７に記憶された識別情報が通信部１４を介して出力されると、制御部１３から計時を開始する信号が送信され、時間の計時を開始する。計時部１５が、計時する時間は予め設定することができ、たとえば、１０分間計時するように設定することができる。
【００２６】
点検部１８は、蓄電池１２の点検を実施する。ここで、点検とは、外部電源からの電力の供給を一時的に遮断し、蓄電池１２の電力により光源１１を法令で定められた所定の時間点灯させる動作である。具体的には、照明装置１０が非常灯である場合、蓄電池１２の電力により光源１１を３０分間、誘導灯である場合、蓄電池１２の電力により光源１１を２０分間点灯させ、蓄電池１２の電圧、電流、温度、放電時間および放電回数を検知することにより蓄電池１２が正常に動作するか否かの点検を行い、これらの点検情報をメモリ部１７に出力する。
【００２７】
通信部１４は、無線通信で通信端末２０および他の照明装置１０とデータを送受信するためのインターフェースである。通信部１４は、たとえば、Ｂｌｕｅｔｏｏｔｈ（登録商標）接続をサポートするインターフェースである。ここでは、通信部１４は、ＢＬＥ通信をサポートするものとする。
【００２８】
光源１１は、蓄電池１２からの電力の供給により発光する。光源１１は、たとえば、白熱電球、蛍光灯、又は、ＬＥＤなどから構成される。
【００２９】
制御部１３は、外部電源が投入されるとメモリ部１７に記憶した自機の識別情報を通信部１４を介して外部へ送信するとともに、計時部１５に計時を開始する信号を送信し、計時部１５は計時を開始する。計時開始後、計時部１５が計時した時間が予め設定した時間を経過すると、光源１１を点灯する。一方、予め設定した時間を経過する前に外部から通信を確認したことを示す通信確認信号を受信した場合、計時部１５の計時を停止し、計時部１５のカウントをリセットする。通信確認信号については後述する。
【００３０】
次に、通信端末２０の構成例について説明する。
【００３１】
図４は、通信端末２０の構成例を示す図である。
【００３２】
図４に示す構成例において、通信端末２０は、基本的な構成として、制御部２１、メモリ部２２、通信部２５、入力部２６および表示部２７などを備える。これらの各部は、データバスを介して互いに接続されている。なお、通信端末２０は、図４に示すような構成の他に必要に応じた構成を具備したり、特定の構成を除外したりしてもよい。
【００３３】
制御部２１は、通信端末２０全体の動作を制御する機能を有する。制御部２１は、メモリ部２２が予め記憶するプログラムを実行することにより種々の処理を実現する。
【００３４】
なお、制御部２１がプログラムを実行することにより実現する各種の機能のうちの一部は、ハードウエア回路により実現されるものであってもよい。この場合、制御部２１は、ハードウエア回路により実行される機能を制御する。
【００３５】
メモリ部２２（記憶部）は、揮発性メモリおよび不揮発性メモリなどから構成される。たとえば、メモリ部２２は、予め制御用のプログラムおよび制御データなどを格納する。
【００３６】
また、メモリ部２２は、通信部２５を介して受信した照明装置１０の識別情報および点検情報など照明装置１０の情報や照明装置１０の種類に該当する装置アイコンを格納する。照明装置１０の機種に該当する機種番号を格納しており、照明装置１０から送信された識別情報に含まれる機種番号により照明装置１０の機種を判断することができる。
【００３７】
通信部２５は、無線通信で照明機器１０とのデータを送受信するためのインターフェースである。通信部２５は、たとえば、Ｂｌｕｅｔｏｏｔｈ（登録商標）接続をサポートするインターフェースである。ここでは、通信部２５は、ＢＬＥ通信をサポートするものとする。
【００３８】
入力部２６は、通信端末２０の操作者によって、種々の操作指示が入力される。入力部２６は、操作者によって入力された操作指示の信号を制御部２１へ送信する。入力部２６は、たとえば、キーボード、テンキー、およびタッチパネルなどである。
【００３９】
表示部２７は、制御部２１の制御により種々の情報を表示する表示装置である。表示部２７は、たとえば、液晶モニタなどである。なお、入力部２６がタッチパネルなどで構成される場合、表示部２７は、入力部２６と一体的に形成されてもよい。
【００４０】
ここでは、入力部２６は、タッチパネルから構成され、表示部２７と一体的に形成され
るものとする。
【００４１】
次に制御システム１００の動作の流れを説明する。
【００４２】
図５および図６を参照して制御システム１００の初期設定時の照明装置１０と通信端末２０の動作の流れについて説明する。
【００４３】
図１に示す照明装置１０a〜１０fの６台は非常灯であり、照明装置１０ｇ〜１０iの３台は誘導灯であるとする。照明装置１０は、外部電源から電力が供給されると蓄電池１２の充電を実行するとともに、自機の機種番号を含む識別情報を、通信部１４を介して外部へ送信し、計時部１５の計時を開始する。
【００４４】
図５は、照明装置１０と通信する前の通信端末２０の表示部２７を示している。図５に示すように、通信端末２０の制御部２１は、表示部２７にグループ名称３２、設置台数３３を示すテーブル３５を表示する。グループ名称３２は登録者により任意に変更することができ、ここでは、第１のグループのグループ名称３２Ａを「非常灯」としてテーブル３５Ａに表示し、第２グループのグループ名称３２Ｂを「誘導灯」としてテーブル３５Ｂに表示している。
【００４５】
また、新たな照明装置１０の機種を追加する場合、追加ボタン３６をタップすることによりテーブル３５を追加することができる。
【００４６】
登録者は予め照明空間１に設置された照明装置１０の種類と台数を把握しておき、グループ名称３２Ａ、３２Ｂおよび設置台数３３Ａ、３３Ｂを入力し、決定ボタン３７をタップする。
【００４７】
図６は、決定ボタン３７がタップされた場合の通信端末２０の表示部２７である。
【００４８】
通信端末２０は、決定ボタン３７がタップされると図６の画面を表示するとともに照明装置１０の識別情報の受信を開始する。通信端末２０は、受信した識別情報に含まれる機種番号から照明装置１０の機種を判断し、受信した照明装置１０の台数を受信台数セル３８にカウントする。照明装置１０a〜１０ｆの識別情報を受信した場合、機種番号から非常灯であることを判断し受信台数セル３８Ａに「６」をカウントする。一方、照明装置１０ｇ〜１０ｈの識別情報を受信した場合、照明空間１に設置した誘導灯は３台であるが、受信台数セル３８Ｂに「２」と表示され、受信台数と設置台数とが相違し、機種番号から誘導灯であることを判断し受信台数セル３８Ｂに「２」をカウントする。通信端末２０は登録者により入力された設置台数３３と受信した識別情報の受信台数を比較し、カウントした受信台数が設置台数を満たす場合、チェックマーク３９を表示する。これにより、登録者は照明空間１に設置した非常灯６台と通信が可能であることを確認することができる。一方、たとえば、障害物による電波障害や破壊による故障により照明装置１０iと通信ができない場合、テーブル３５Ｂにはチェックマーク３９が表示されないため、登録者は照明装置１０ｇ〜１０iのうち１台が通信異常であることを視認できる。
【００４９】
さらに、通信端末２０は、受信した識別情報を有する照明装置１０に対し通信を確認したことを示す通信確認信号を送信する。照明装置１０a〜１０ｆの識別情報を受信した場合、受信台数セル３８Ａにカウントするとともに、照明装置１０a〜１０ｆに対し通信確認信号を送信する。この通信確認信号を受信した照明装置１０a〜１０ｆは識別情報の送信を停止するとともに計時部１７のカウントをリセットする。一方、照明装置１０iと通信端末２０とが通信ができていない場合、つまり照明装置１０が自機の計時部１７の計時を開始して一定時間が経過した場合、照明装置１０iは自機の光源１１を点灯する。これにより、照明装置１０iは自機が通信端末２０と通信ができていないことを外部に報知する。
【００５０】
このように、登録者が予め入力した台数と受信した識別情報の受信台数を比較し、比較結果を表示することにより、登録者が照明装置１０と通信端末２０の通信状態を容易に確認することができる。さらに、通信ができなかった照明装置１０は一定時間を経過すると点灯するため、登録者はどの照明装置１０が通信異常であるのかを視認することができるため、通信異常のある照明装置１０の早期発見を容易に行うことができる。
【００５１】
また、登録者が誤った数の設置台数を入力した場合でも、原因を発見することができる。たとえば、端末２０が照明装置１０の識別情報の受信を開始後、一定時間を経過しても表示部３７のチェックマークが表示されず、照明装置１０も点灯しない場合、登録者が設置台数を多く入力したと判断できる。一方、一定時間経過後に表示部３７のチェックマークが表示されているにも関わらず、照明装置１０が点灯している場合、登録者が設置台数を少なく入力したと判断できる。
【００５２】
次に、図７のシーケンス図を参照して制御システム１００の照明装置１０と制御装置２０との通信が確立する初期設定の流れを説明する。簡略化のため、通信端末２０、照明装置１０a、１０ｂ、１０ｈ、１０iの動作例を示す。ここで、照明装置１０iは通信異常が発生しているものとする。
【００５３】
まず、照明装置１０を照明空間１に設置後に外部電源（ブレーカー）をオンにして電力を供給する（Ｓ１）。外部電源から電力が供給されると照明装置１０は、自機の識別情報を外部へ送信するとともに、計時部１７の計時を開始する（Ｓ２）。次いで、登録者は、通信端末２０の表示部２７の設置台数３３に各機種（非常灯、誘導灯）の設置数を入力し、決定ボタン３７をタップする（Ｓ３）。決定ボタン３７がタップされると照明装置１０の識別情報の受信を開始する（Ｓ４）。通信端末２０は、受信した識別情報から各機種の台数を受信台数セル３８にカウントするとともに、登録者により入力された設置台数と比較を行う。比較の結果、受信台数が設置台数を満たしている場合チェックマーク３９を表示する（Ｓ５）。次いで、通信端末２０は、受信した識別番号を有する照明装置１０に対し通信確認信号を送信する。ここでは、識別番号を受信した照明装置１０a〜１０ｈに送信される（Ｓ６）。識別確認信号を受信した照明装置１０a〜１０ｈは、自機の識別情報の送信を停止するとともに、計時部１７のカウントをリセットする（Ｓ７）。一方、照明装置１０iは、計時部１７の計時時間が一定時間経過すると、つまり、識別信号を受信しない時間が一定時間経過すると光源１１を点灯させ通信異常であることを外部に報知する（Ｓ８）。
【００５４】
登録者は、照明装置１０iが点灯していることにより照明装置１０に通信異常が発生していることを視認することができる。
【００５５】
なお、実施形態では、被制御装置として蓄電池を有する非常灯、誘導灯である場合を例に説明したが、勿論この構成に限ることはない。たとえば、実施形態に係る照明装置は、蓄電池を有しない通常の照明装置でもよい。また、被制御装置は照明装置に限らず、たとえば、所定のエリアに複数設置された人感センサや防犯カメラなどでもよい。この場合、人感センサや防犯カメラは、表示ランプなどの光源を有する。
【００５６】
本発明の実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５７】
１００  制御システム
１      照明空間
１０    照明装置（被制御装置）
１１    光源
１４    通信部
２１    制御部
２０    通信端末（制御装置）
２５    通信部
２６    入力部
２７    表示部
【図１】
2019179635.tif 000003
【図２】
2019179635.tif 000004
【図３】
2019179635.tif 000005
【図４】
2019179635.tif 000006
【図５】
2019179635.tif 000007
【図６】
2019179635.tif 000008
【図７】
2019179635.tif 000009